(57)【要約】【課題】出席者による画面の表示内容の認識状況を把握可能な表示システムを提供する。【解決手段】会議の進行中に、出席者が増加し、表示装置１の画面１ａ上の掲示情報も増加したならば、出席者全員により認識された掲示情報や一部の出席者のみにより認識された掲示情報が混在表示され、これが会議の内容をまとめる上での障害となる。そこで、表示装置１の画面１ａ上で一部の出席者のみにより認識された掲示情報を出席者全員により認識された掲示情報と区別表示する。例えば、一部の出席者のみにより認識された掲示情報「○○は青色にする」、「□□は赤色にする」、「△△は黄色にする」を青色で表示し、出席者全員により認識された掲示情報「▽▽は緑色にする」を黒色で表示するという区別表示をする。【選択図】図１１
2009093207.tif 000002
【特許請求の範囲】
【請求項１】
掲示情報を入力表示する表示システムにおいて、
掲示情報の入力表示に際し、該掲示情報を認識した複数の出席者の識別情報を入力する出席者識別情報入力手段と、
前記掲示情報を前記出席者識別情報入力手段から入力された各出席者の識別情報に対応付けて記憶する記憶手段と、
前記記憶手段に記憶されている複数の掲示情報をそれぞれに対応付けられた各出席者の識別情報に基づいて区別表示する制御手段とを備えることを特徴とする表示システム。
【請求項２】
前記制御手段は、前記記憶手段に記憶されている各掲示情報をそれぞれに対応付けられた各出席者の識別情報が共通するという条件で区別して表示することを特徴とする請求項１に記載の表示システム。
【請求項３】
前記制御手段により区別表示された各掲示情報のいずれかを選択指示する掲示情報指示手段を備え、
制御手段は、前記記憶手段に記憶されている各出席者の識別情報を表示しており、前記掲示情報指示手段により選択指示された掲示情報に対応付けられた各出席者の識別情報を他の出席者の識別情報と区別して表示することを特徴とする請求項１に記載の表示システム。
【請求項４】
前記制御手段は、前記掲示情報指示手段により選択指示された掲示情報について前記他の出席者の合意が得られたときに、該他の出席者の識別情報を該掲示情報に対応付けられた各出席者の識別情報と同じ区別で表示することを特徴とする請求項３に記載の表示システム。
【請求項５】
前記制御手段は、前記記憶手段に記憶されている複数の掲示情報をそれぞれに対応付けられた各出席者の識別情報に基づいて区別表示することができないときに、この旨を表示することを特徴とする請求項１に記載の表示システム。
【請求項６】
前記各掲示情報の区別表示は、該各掲示情報の色分け表示であることを特徴とする請求項１に記載の表示システム。
【請求項７】
前記出席者識別情報入力手段は、出席者のカードから該出席者の識別情報を読み取るカードリーダであることを特徴とする請求項１に記載の表示システム。
【発明の詳細な説明】
【技術分野】
【０００１】
本発明は、会議等に用いるのに好適な表示システムに関する。
【背景技術】
【０００２】
この種の表示システムとしては、ホワイトボード上に書き込まれた内容をスキャナにより読み取って、その内容をプリンタにより記録用紙に記録するというものがある。
【０００３】
また、特許文献１のシステムでは、会議の複数の出席者に対して手元で書き込みを行うためのデジタイザをそれぞれ与え、各デジタイザに書き込まれた内容を編集して大画面の表示装置に表示し、出席者全員がそれぞれの書き込み内容を視認することができるようにしている。
【特許文献１】特開平４−１０９９４号公報
【発明の開示】
【発明が解決しようとする課題】
【０００４】
ところで、実際の会議では、出席者全員が揃わなかったり、会議の進行中に出席者が出席又は退席したりすることがあるので、表示装置の画面に会議の内容を表示しても、出席者全員により表示内容が認識されているとは限らず、表示装置の画面には、出席者全員により認識された内容や一部の出席者のみにより認識された内容が混在表示され、これが会議の内容をまとめる上での障害となった。
【０００５】
しかしながら、従来の表示システムは、出席者による画面の表示内容の認識状況を把握可能にする機能を有してはいなかった。
【０００６】
そこで、本発明は、上記従来の問題に鑑みてなされたものであり、出席者による画面の表示内容の認識状況を把握可能な表示システムを提供することを目的とする。
【課題を解決するための手段】
【０００７】
上記課題を解決するために、本発明は、掲示情報を入力表示する表示システムにおいて、掲示情報の入力表示に際し、該掲示情報を認識した複数の出席者の識別情報を入力する出席者識別情報入力手段と、前記掲示情報を前記出席者識別情報入力手段から入力された各出席者の識別情報に対応付けて記憶する記憶手段と、前記記憶手段に記憶されている複数の掲示情報をそれぞれに対応付けられた各出席者の識別情報に基づいて区別表示する制御手段とを備えている。
【０００８】
例えば、前記制御手段は、前記記憶手段に記憶されている各掲示情報をそれぞれに対応付けられた各出席者の識別情報が共通するという条件で区別して表示している。
【０００９】
また、前記制御手段により区別表示された各掲示情報のいずれかを選択指示する掲示情報指示手段を備え、制御手段は、前記記憶手段に記憶されている各出席者の識別情報を表示しており、前記掲示情報指示手段により選択指示された掲示情報に対応付けられた各出席者の識別情報を他の出席者の識別情報と区別して表示している。
【００１０】
そして、前記制御手段は、前記掲示情報指示手段により選択指示された掲示情報について前記他の出席者の合意が得られたときに、該他の出席者の識別情報を該掲示情報に対応付けられた各出席者の識別情報と同じ区別で表示している。
【００１１】
また、前記制御手段は、前記記憶手段に記憶されている複数の掲示情報をそれぞれに対応付けられた各出席者の識別情報に基づいて区別表示することができないときに、この旨を表示している。
【００１２】
例えば、前記各掲示情報の区別表示は、該各掲示情報の色分け表示である。
【００１３】
例えば、前記出席者識別情報入力手段は、出席者のカードから該出席者の識別情報を読み取るカードリーダである。
【発明の効果】
【００１４】
このような構成の本発明によれば、掲示情報の入力表示に際し、該掲示情報を認識した複数の出席者の識別情報を入力しており、複数の掲示情報を表示するときには、各掲示情報をそれぞれに対応付けられた各出席者の識別情報に基づいて区別表示している。このため、掲示情報の表示態様から、如何なる出席者が該掲示情報を認識したかを察知することができる。すなわち、出席者による掲示情報の認識状況を把握することができる。
【００１５】
例えば、各出席者の識別情報が共通する掲示情報を同一の表示態様で表示する。具体的には、Ａ、Ｂ、Ｃという出席者がいたならば、Ａ、Ｂの出席者が認識した各掲示情報を同一の表示態様で表示し、Ａ、Ｂ、Ｃの出席者全員が認識した各掲示情報を他の同一の表示態様で表示する。これにより、Ａ、Ｂの出席者が認識した各掲示情報と出席者全員が認識した掲示情報を直ちに区別して知ることができる。
【００１６】
また、区別表示された各掲示情報のいずれかを選択指示することができ、各出席者の識別情報を表示した上で、選択指示された掲示情報に対応付けられた各出席者の識別情報を他の出席者の識別情報と区別して表示しているので、掲示情報を選択指示することにより、該掲示情報を認識した各出席者を直ちに区別して知ることができる。
【００１７】
そして、他の出席者の合意が得られたときに、該他の出席者の識別情報を該掲示情報に対応付けられた各出席者の識別情報と同じ区別で表示しているので、掲示情報を認識した各出席者の区別表示を更新することができる。
【００１８】
複数の掲示情報を区別表示することができないとき、つまり各掲示情報に対応付けられた各出席者の識別情報が共通しているときには、この旨を表示している。
【００１９】
例えば、区別表示としては色分け表示がある。また、カードリーダにより出席者のカードから識別情報を読み取って入力することができる。
【発明を実施するための最良の形態】
【００２０】
以下、本発明の実施形態を添付図面を参照しつつ詳細に説明する。
【００２１】
図１は、本発明の表示システムの一実施形態を概略的に示すブロック図である。また、図２は、本実施形態の表示システムを示す斜視図である。本実施形態の表示システムは、複数の出席者が出席する会議等に際し、会議の内容や各出席者の氏名を表示画面上に表示して、会議を支援するために用いられる。
【００２２】
この表示システムでは、大型液晶表示装置等の表示装置１と、表示装置１の画面１ａ上に重ね合わされたタッチパネル２と、ＩＣカードからの情報の読み出しを行うＩＣカードリーダ３と、各種の情報を記憶するメモリ４と、入力指示のために操作される操作部５と、表示装置１の表示制御、タッチパネル２及びＩＣカードリーダ３からの情報入力、メモリ４に対する情報の書き込み及び読み出し等を行う情報処理装置６とを備えている。
【００２３】
タッチパネル２は、表示装置１の画面１ａが見えるような透光性を有する平板状のものであり、図３に示すようにガラス板等の透光板１１の相互に対向するｘ方向の２辺にＬＥＤアレイ１２及びフォトトランジスタアレイ１３をそれぞれ配置し、また透光板１１の相互に対向するｙ方向の２辺にもＬＥＤアレイ１４及びフォトトランジスタアレイ１５をそれぞれ配置したものである。このタッチパネル２では、ｘ方向のＬＥＤアレイ１２から複数の光ビームを出射させて、これらの光ビームをフォトトランジスタアレイ１３に入射させ、またｙ方向のＬＥＤアレイ１４からも複数の光ビームを出射させて、これらの光ビームをフォトトランジスタアレイ１５に入射させている。この状態で、タッチパネル２上の任意の位置Ｐにペンの先端を接触させると、ペンの先端により、ｘ方向のＬＥＤアレイ１２からの複数の光ビームのいずれかが遮断されて、このｘ方向の遮断位置がフォトトランジスタアレイ１３によりｘ座標として検出され、同時に、ペンの先により、ｙ方向のＬＥＤアレイ１４からの複数の光ビームのいずれかが遮断されて、このｙ方向の遮断位置がフォトトランジスタアレイ１５によりｙ座標として検出され、これによりペンの先の位置Ｐがｘｙ座標として検出される。
【００２４】
タッチパネル２としては、光学式の他に、抵抗膜方式や感圧式等の他の種類のものを適用しても構わない。
【００２５】
情報処理装置６は、タッチパネル２により検出されたペンの先のｘｙ座標を表示装置１の画面１ａ上の点の位置として入力する。そして、ペンの先により文字や図形等が描かれたときには、情報処理装置６は、タッチパネル２により検出されたペンの先のｘｙ座標を随時入力して、ペンの先のｘｙ座標の移動軌跡を求め、この移動軌跡、つまり文字や図形等を掲示情報としてメモリ４に記憶する。そして、情報処理装置６は、この掲示情報をメモリ４から読み出して、この掲示情報である文字や図形等を表示装置１の画面１ａに表示する。
【００２６】
このような表示装置１の画面１ａへの掲示情報の表示は、タッチパネル２上に掲示情報が描かれると同時に、つまりリアルタイムで行われる。この場合は、ペンにより掲示情報を描くと同時に、掲示情報を表示装置１の画面１ａ上で確認することができる。
【００２７】
また、表示装置１の画面１ａ上の掲示情報が一旦消去された後でも、操作部５の入力操作により掲示情報の再表示が指示されると、これに応答して情報処理装置６により掲示情報がメモリ４から読み出されて表示装置１の画面１ａに再表示される。
【００２８】
ＩＣカードリーダ３は、会議の出席者が保有するＩＣカード等から該出席者の識別コードや氏名等を読み出すものであり、これらの出席者の識別コードや氏名を情報処理装置６に出力する。
【００２９】
情報処理装置６は、出席者の識別コードや氏名をＩＣカードリーダ３から入力すると、これらをメモリ４に記憶する。
【００３０】
ここでは、ＩＣカードを例示しているが、磁気カード等の他の種類のカード等を用いても構わない。また、出席者の識別コード及び氏名を共に用いているが、識別コード及び氏名のいずれによっても出席者を識別することができることから、いずれか一方を用いても良い。
【００３１】
メモリ４は、タッチパネル２上で描かれた文字や図形等の掲示情報を記憶したり、ＩＣカード等から読み出された出席者の識別コードや氏名等を記憶するだけではなく、図４に示すような出席者管理テーブル２１、図５に示すよう掲示情報管理テーブル２２、及び図６に示すような関連付け管理テーブル２３を記憶している。
【００３２】
図４の出席者管理テーブル２１は、ＩＣカードリーダ３によりＩＣカードから読み出された出席者の識別コードや氏名、及び区別表示フラッグを対応付けて記憶するものである。区別表示フラッグのデフォルト値は、「ＯＦＦ」である。
【００３３】
情報処理装置６は、出席者の識別コードや氏名をＩＣカードリーダ３から入力する度に、識別コード、氏名、及び区別表示フラッグをメモリ４の出席者管理テーブル２１に記憶する。
【００３４】
図５の掲示情報管理テーブル２２は、タッチパネル２上で描かれた掲示情報の識別番号、該掲示情報、及び区別表示フラッグを対応付けて記憶するものである。掲示情報の識別番号は、例えばシリアル番号である。掲示情報は、画像データ（ベクトルデータやマトリクスデータ）として記憶される。区別表示フラッグのデフォルト値は、「ＯＦＦ」である。
【００３５】
情報処理装置６は、タッチパネル２上で描かれた掲示情報を入力する度に、掲示情報を表示装置１の画面１ａに表示し、同時に掲示情報の識別番号を生成して、識別番号、掲示情報、及び区別フラッグをメモリ４の掲示情報管理テーブル２２に記憶する。
【００３６】
図６の関連付け管理テーブル２３は、掲示情報の識別番号と各出席者の識別コードとを対応付けて記憶するものである。出席者が会議に出席して、ＩＣカードリーダ３により出席者のＩＣカードから識別コード及び氏名が読み取られた後に、掲示情報がタッチパネル２上で描かれて表示装置１の画面１ａに表示されたときには、出席者が掲示情報を確認したとみなして、掲示情報の識別番号と出席者の識別コードが対応付けられて関連付け管理テーブル２３に記憶される。
【００３７】
情報処理装置６は、掲示情報をタッチパネル２から入力して表示装置１の画面１ａに表示したときに、識別番号、掲示情報、及び区別フラッグをメモリ４の掲示情報管理テーブル２２に記憶するだけではなく、掲示情報の識別番号を関連付け管理テーブル２３に記憶し、このときに出席者管理テーブル２１に既に記憶されている出席者の識別コードを該掲示情報の識別番号に対応付けて関連付け管理テーブル２３に記憶する。
【００３８】
さて、このような構成の表示システムを用いた会議において、例えば３人の出席者が出席したならば、それぞれの出席者は、自分のＩＣカードをＩＣカードリーダ３に差し入れて、ＩＣカードリーダ３により自分の識別コード及び氏名を読み取らせる。情報処理装置６は、３人の出席者別に、出席者の識別コード及び氏名をＩＣカードリーダ３から入力して、識別コード、氏名、及び区別表示フラッグをメモリ４の出席者管理テーブル２１に記憶する。これにより、例えば図７（ａ）に示すように出席者管理テーブル２１が更新される。
【００３９】
そして、情報処理装置６は、出席者管理テーブル２１に記憶されている３人の出席者の氏名を読み出して、これらの氏名を表示装置１の画面１ａ右上に表示する。
【００４０】
この後で、タッチパネル２上で掲示情報が描かれると、情報処理装置６は、掲示情報をタッチパネル２から入力して表示装置１の画面１ａに表示し、掲示情報の識別番号を生成して、識別番号、掲示情報、及び区別フラッグをメモリ４の掲示情報管理テーブル２２に記憶する。これにより、例えば図７（ｂ）に示すように掲示情報管理テーブル２２が更新される。ここでは、掲示情報が「○○は青色にする」となっている。
【００４１】
このとき、情報処理装置６は、掲示情報の識別番号を関連付け管理テーブル２３に記憶し、出席者管理テーブル２１に既に記憶されている出席者の識別コードを該掲示情報の識別番号に対応付けて関連付け管理テーブル２３に記憶する。これにより、例えば図７（ｃ）に示すように関連付け管理テーブル２３が更新される。ここでは、掲示情報「○○は青色にする」の識別番号「Ｄ００００１」が、３人の出席者の識別コード「Ａ００００１」、「Ａ００００２」、「Ａ００００３」に対応付けられて記憶されている。
【００４２】
この結果、表示装置１の画面１ａには、図７（ｄ）に示すように掲示情報「○○は青色にする」、及び３人の出席者の氏名が表示される。
【００４３】
引き続いて、会議の途中で、２人の出席者が出席して来たならば、これらの出席者のＩＣカードがＩＣカードリーダ３に差し入れられて、ＩＣカードリーダ３によりそれぞれの識別コード及び氏名が読み取られる。情報処理装置６は、これらの出席者の識別コード及び氏名をＩＣカードリーダ３から入力して、識別コード、氏名、及び区別表示フラッグをメモリ４の出席者管理テーブル２１に記憶し、例えば図８（ａ）に示すように出席者管理テーブル２１を更新する。
【００４４】
そして、情報処理装置６は、出席者管理テーブル２１に記憶されている５人の出席者の氏名を読み出して、これらの氏名を表示装置１の画面１ａ右上に表示する。
【００４５】
この後で、タッチパネル２上で新たな掲示情報が描かれると、情報処理装置６は、この新たな掲示情報をタッチパネル２から入力して表示装置１の画面１ａに表示する。また、表示装置１の画面１ａ上の掲示情報が２以上になったことから、「区別して表示」というアイコン２４を表示装置１の画面１ａ右下に表示する。このアイコン２４の機能は後述する。
【００４６】
更に、情報処理装置６は、掲示情報の識別番号を生成して、識別番号、掲示情報、及び区別フラッグをメモリ４の掲示情報管理テーブル２２に記憶して、例えば図８（ｂ）に示すように掲示情報管理テーブル２２を更新する。ここでは、新たな２つの掲示情報「□□は赤色にする」、「△△は黄色にする」が追加されている。
【００４７】
このとき、情報処理装置６は、新たな２つの掲示情報の識別番号を関連付け管理テーブル２３に記憶し、出席者管理テーブル２１に既に記憶されている出席者の識別コードを新たな２つの掲示情報の識別番号に対応付けて関連付け管理テーブル２３に記憶する。これにより、例えば図８（ｃ）に示すように関連付け管理テーブル２３が更新される。ここでは、新たな２つの掲示情報「□□は赤色にする」の識別番号「Ｄ００００２」及び「△△は黄色にする」の識別番号「Ｄ００００３」が、５人の出席者の識別コード「Ａ００００１」、「Ａ００００２」、「Ａ００００３」、「Ａ００００４」、「Ａ００００５」に対応付けられて記憶されている。
【００４８】
従って、表示装置１の画面１ａには、図８（ｄ）に示すように３つの掲示情報「○○は青色にする」、「□□は赤色にする」、「△△は黄色にする」、５人の出席者の氏名、及び「区別して表示」のアイコン２４が表示される。
【００４９】
引き続いて、１人の出席者が途中出席して来たならば、ＩＣカードリーダ３により、該出席者のＩＣカードから識別コード及び氏名が読み取られ、情報処理装置６により、該出席者の識別コード、氏名、及び区別表示フラッグがメモリ４の出席者管理テーブル２１に記憶され、例えば図９（ａ）に示すように出席者管理テーブル２１が更新される。
【００５０】
そして、出席者管理テーブル２１に記憶されている６人の出席者の氏名が表示装置１の画面１ａ右上に表示される。
【００５１】
この後で、タッチパネル２上で新たな掲示情報が描かれると、情報処理装置６により、新たな掲示情報が表示装置１の画面１ａに表示される。また、掲示情報の識別番号が生成されて、識別番号、掲示情報、及び区別フラッグがメモリ４の掲示情報管理テーブル２２に記憶されて、例えば図９（ｂ）に示すように掲示情報管理テーブル２２が更新される。ここでは、新たな１つの掲示情報「▽▽は緑色にする」が追加されている。
【００５２】
このとき、新たな１の掲示情報の識別番号がメモリ４の関連付け管理テーブル２３に記憶され、出席者管理テーブル２１に既に記憶されている出席者の識別コードが新たな１つの掲示情報の識別番号に対応付けて関連付け管理テーブル２３に記憶される。これにより、例えば図９（ｃ）に示すように関連付け管理テーブル２３が更新される。ここでは、新たな１つの掲示情報「▽▽は緑色にする」の識別番号「Ｄ００００４」が、６人の出席者の識別コード「Ａ００００１」〜「Ａ００００６」に対応付けられて記憶されている。
【００５３】
従って、表示装置１の画面１ａには、図９（ｄ）に示すように４つの掲示情報「○○は青色にする」、「□□は赤色にする」、「△△は黄色にする」、「▽▽は緑色にする」、６人の出席者の氏名、及び「区別して表示」のアイコン２４が表示される。
【００５４】
このように会議の進行中に、出席者が増加し、表示装置１の画面１ａ上の掲示情報も増加したならば、出席者全員により認識された掲示情報や一部の出席者のみにより認識された掲示情報が混在表示されるが、これが会議の内容をまとめる上での障害となる。
【００５５】
そこで、本実施形態の表示システムでは、出席者全員により認識された掲示情報と一部の出席者のみにより認識された掲示情報とを区別表示している。
【００５６】
次に、そのような区別表示のための手順を、図１０に示すフローチャート等を参照しつつ説明する。
【００５７】
まず、図９（ｄ）に示すような内容が表示装置１の画面１ａに表示されているとすると、情報処理装置６は、タッチパネル２を通じて、ペンの先により画面１ａ上の「区別して表示」のアイコン２４が指示されたか否かを判定している（ステップＳ１０１）。そして、「区別して表示」のアイコン２４が指示されなければ（ステップＳ１０１で「Ｎｏ」）、情報処理装置６は、図９（ｄ）に示すような内容の表示を維持し続ける（ステップＳ１０２）。
【００５８】
また、ペンの先により画面１ａ上の「区別して表示」のアイコン２４が指示されると、指示された点のｘｙ座標が情報処理装置６に入力される。情報処理装置６は、このｘｙ座標を入力すると、このｘｙ座標が画面１ａ上のアイコン２４の表示エリアに入るか否かを判定し、このｘｙ座標がアイコン２４の表示エリアに入れば、「区別して表示」のアイコン２４が指示されと判定し（ステップＳ１０１で「Ｙｅｓ」）、このアイコン２４を「区別なしで表示」のアイコン２５に切替える。そして、情報処理装置６は、メモリ４の関連付け管理テーブル２３を参照して、一部の出席者のみにより認識された掲示情報の識別番号を検索し（ステップＳ１０３）、該当する掲示情報の識別番号があったならば（ステップＳ１０３で「Ｙｅｓ」）、表示装置１の画面１ａ上で該当する掲示情報を出席者全員により認識された掲示情報と区別表示する（ステップＳ１０４）。
【００５９】
これにより、例えば図１１に示すように画面１ａでは、一部の出席者のみにより認識された掲示情報「○○は青色にする」、「□□は赤色にする」、「△△は黄色にする」が青色（白抜き文字で示す）で表示され、出席者全員により認識された掲示情報「▽▽は緑色にする」が黒色で表示されるという区別表示がなされる。また、「区別なしで表示」のアイコン２５が表示される。
【００６０】
尚、一部の出席者のみにより認識された掲示情報の識別番号がなかったならば（ステップＳ１０３で「Ｎｏ」）、つまり出席者全員により認識された掲示情報だけがあったならば、区別表示することができないので、図９（ｄ）に示すような内容の表示が維持される（ステップＳ１０２）。また、図１１の画面１ａ上で「区別なしで表示」のアイコン２５が指示されたときには、図９（ｄ）の表示に戻る。
【００６１】
次に、図１２に示すフローチャート等を参照しつつ、図１０のステップＳ１０３の詳細を説明する。
【００６２】
まず、情報処理装置６は、メモリ４の関連付け管理テーブル２３の参照に用いられる指標Ｎを「１」に設定し（ステップＳ２０１）、また図９（ｃ）の関連付け管理テーブル２３の出席者全員の識別番号を収集して、図１３（ａ）に示すように指標Ｎ「１」に対応する１番目の識別番号「Ｄ００００１」を選択し、この１番目の識別番号「Ｄ００００１」に対応する各出席者の識別コード「Ａ００００１」、「Ａ００００２」、「Ａ００００３」が出席者全員の識別番号を含むか否かを判定する（ステップＳ２０２）。ここでは、各出席者の識別コード「Ａ００００１」、「Ａ００００２」、「Ａ００００３」が出席者全員の識別番号を含まないと判定される（ステップＳ２０２で「Ｎｏ」）。この場合、情報処理装置６は、メモリ４の掲示情報管理テーブル２２を参照して、図１３（ａ）に示すように１番目の識別番号「Ｄ００００１」に対応する区別表示フラッグを「ＯＮ」に書き換える（ステップＳ２０３）。
【００６３】
そして、情報処理装置６は、関連付け管理テーブル２３の全ての識別番号を選択したか否かを判定し（ステップＳ２０４）、全ての識別番号を選択していないので（ステップＳ２０４で「Ｎｏ」）、関連付け管理テーブル２３参照用の指標Ｎを「２」に歩進してから（ステップＳ２０５）、ステップＳ２０２に戻る。更に、情報処理装置６は、図１３（ｂ）に示すように指標Ｎ「２」に対応する２番目の識別番号「Ｄ００００２」を選択して、この２番目の識別番号「Ｄ００００２」に対応する各出席者の識別コード「Ａ００００１」〜「Ａ００００５」が出席者全員の識別番号を含むか否かを判定し（ステップＳ２０２）、各出席者の識別コード「Ａ００００１」〜「Ａ００００５」が出席者全員の識別番号を含まないことから（ステップＳ２０２で「Ｎｏ」）、掲示情報管理テーブル２２を参照して、図１３（ｂ）に示すように２番目の識別番号「Ｄ００００２」に対応する区別表示フラッグを「ＯＮ」に書き換える（ステップＳ２０３）。
【００６４】
同様に、関連付け管理テーブル２３の全ての識別番号が選択されていないので（ステップＳ２０４で「Ｎｏ」）、関連付け管理テーブル２３参照用の指標Ｎが「３」に歩進されて（ステップＳ２０５）、ステップＳ２０２に戻り、図１３（ｃ）に示すように指標Ｎ「３」に対応する３番目の識別番号「Ｄ００００３」が選択されて、この３番目の識別番号「Ｄ００００３」に対応する各出席者の識別コード「Ａ００００１」〜「Ａ００００５」が出席者全員の識別番号を含むか否かが判定され（ステップＳ２０２）、各出席者の識別コード「Ａ００００１」〜「Ａ００００５」が出席者全員の識別番号を含まないことから（ステップＳ２０２で「Ｎｏ」）、図１３（ｃ）に示すように掲示情報管理テーブル２２における３番目の識別番号「Ｄ００００３」に対応する区別表示フラッグが「ＯＮ」に書き換えられる（ステップＳ２０３）。
【００６５】
引き続いて、情報処理装置６は、関連付け管理テーブル２３の全ての識別番号を選択していないので（ステップＳ２０４で「Ｎｏ」）、関連付け管理テーブル２３参照用の指標Ｎを「４」に歩進してから（ステップＳ２０５）、ステップＳ２０２に戻る。そして、情報処理装置６は、図１３（ｄ）に示すように指標Ｎ「４」に対応する４番目の識別番号「Ｄ００００４」を選択して、この４番目の識別番号「Ｄ００００４」に対応する各出席者の識別コード「Ａ００００１」〜「Ａ００００６」が出席者全員の識別番号を含むか否かを判定し（ステップＳ２０２）、各出席者の識別コード「Ａ００００１」〜「Ａ００００６」が出席者全員の識別番号を含むことから（ステップＳ２０２で「Ｙｅｓ」）、図１３（ｄ）に示すように掲示情報管理テーブル２２における４番目の識別番号「Ｄ００００４」に対応する区別表示フラッグを「ＯＦＦ」のままにしておく（ステップＳ２０３）。
【００６６】
この後、情報処理装置６は、関連付け管理テーブル２３の全ての識別番号を選択したことから（ステップＳ２０４で「Ｙｅｓ」）、図１２のフローチャートの処理を終了する。
【００６７】
これにより、掲示情報管理テーブル２２においては、一部の出席者のみにより認識された掲示情報の識別番号に対応する区別表示フラッグが「ＯＮ」に設定され、出席者全員により認識された掲示情報の識別番号に対応する区別表示フラッグが「ＯＦＦ」にされる。
【００６８】
こうして掲示情報管理テーブル２２の各区別表示フラッグが設定された後、情報処理装置６は、掲示情報管理テーブル２２における区別表示フラッグ「ＯＮ」に対応する掲示情報を表示装置１の画面１ａ上で青色で表示し、区別表示フラッグ「ＯＦＦ」に対応する掲示情報を表示装置１の画面１ａ上で黒色で表示する。
【００６９】
この結果、図１１に示すように表示装置１の画面１ａ上で、掲示情報「○○は青色にする」、「□□は赤色にする」、「△△は黄色にする」が青色（白抜き文字で示す）で表示され、掲示情報「▽▽は緑色にする」が黒色で表示される。これにより、出席者全員により認識された掲示情報が「▽▽は緑色にする」だけであることが分かる。
【００７０】
次に、図１１に示すような表示装置１の画面１ａの状態で、掲示情報を認識していない出席者の氏名、つまり該掲示情報が書き込まれて表示されたときには出席しておらず、その後で出席した出席者の氏名を求めて、この出席者の氏名も区別表示する。
【００７１】
そのような区別表示のための手順を、図１４に示すフローチャート等を参照しつつ説明する。
【００７２】
例えば、図１１に示すような表示装置１の画面１ａにおいて、ペンの先により掲示情報「○○は青色にする」が指示されると、この指示された点のｘｙ座標が情報処理装置６に入力される。情報処理装置６は、このｘｙ座標が画面１ａ上の掲示情報「○○は青色にする」の表示エリアに入ることから、掲示情報「○○は青色にする」が指示されたとみなし、図１３（ｄ）の掲示情報管理テーブル２２を参照して、該掲示情報に対応する区別表示フラッグが「ＯＮ」であるか否か、つまり該掲示情報が青色で表示されているか否かを判定する（ステップＳ３０１）。
【００７３】
ここでは、掲示情報「○○は青色にする」に対応する区別表示フラッグが「ＯＮ」であり、つまり掲示情報「○○は青色にする」が青色で表示されているので（ステップＳ３０１で「Ｙｅｓ」）、情報処理装置６は、図１５に示すように表示装置１の画面１ａ上で掲示情報「○○は青色にする」の表示色を青色（白抜き文字で示す）から緑色（点模様の文字で示す）に変更する（ステップＳ３０２）。
【００７４】
そして、情報処理装置６は、掲示情報管理テーブル２２における掲示情報「○○は青色にする」に対応する各出席者の識別コード「Ａ００００１」〜「Ａ００００３」を読み出し、メモリ４の出席者管理テーブル２１を参照して、図１６に示すように読み出した各出席者の識別コード「Ａ００００１」〜「Ａ００００３」に対応するそれぞれの区別表示フラッグを「ＯＦＦ」のままとし、他の各出席者の識別コード「Ａ００００４」〜「Ａ００００６」に対応するそれぞれの区別表示フラッグを「ＯＮ」に書き換える（ステップＳ３０３）。
【００７５】
更に、情報処理装置６は、出席者管理テーブル２１における区別表示フラッグ「ＯＮ」に対応する出席者の氏名を表示装置１の画面１ａ上で青色で表示する（ステップＳ３０４）。これにより、図１５に示すように表示装置１の画面１ａ上で、各出席者の氏名「タチ  ツテト」、「ナニ  ヌネノ」、「ハヒ  フヘホ」が青色（白抜き文字で示す）で表示され、各出席者の氏名「アイ  ウエオ」、「カキ  クケコ」、「サシ  スセソ」については元の黒色の表示が維持される。また、「合意確認済」というアイコン２６が表示装置１の画面１ａ右下に表示される。このアイコン２６の機能は後述する。
【００７６】
この図１５の画面１ａを見ることにより、掲示情報「○○は青色にする」については「タチ  ツテト」、「ナニ  ヌネノ」、「ハヒ  フヘホ」という３人の出席者が認識していないことが分かる。
【００７７】
尚、掲示情報に対応する区別表示フラッグが「ＯＦＦ」であり、つまり該掲示情報が黒色で表示されていれば（ステップＳ３０１で「Ｎｏ」）、該掲示情報が出席者全員により認識されていて、該掲示情報が書き込まれて表示された後で出席した出席者がいないので、図１４のフローチャートの処理を終了することになる。
【００７８】
次に、図１５に示すような表示装置１の画面１ａの状態で、掲示情報を認識していない出席者が該掲示情報の内容を認識して合意したときに、該出席者の氏名の区別表示を取り消す。
【００７９】
そのような区別表示を取り消すための手順を、図１７に示すフローチャート等を参照しつつ説明する。
【００８０】
例えば、図１５に示すような表示装置１の画面１ａにおいては、掲示情報「○○は青色にする」が緑色（点模様の文字で表す）で表示され、３人の出席者の氏名「タチ  ツテト」、「ナニ  ヌネノ」、「ハヒ  フヘホ」が青色（白抜き文字で示す）で表示されているので、これらの出席者により掲示情報「○○は青色にする」が認識されていなことになるが、図１５の画面１ａの表示状態で、これらの出席者が掲示情報「○○は青色にする」を認識して合意したときには、ペンの先により「合意確認済」のアイコン２６を指示する。情報処理装置６は、この指示された点のｘｙ座標を入力して、このｘｙ座標が画面１ａ上の「合意確認済」のアイコン２６の表示エリアに入ることを確認して、このアイコン２６が指示されたとみなし（ステップＳ４０１で「Ｙｅｓ」）、図１３（ｄ）の掲示情報管理テーブル２２を参照して、掲示情報「○○は青色にする」に対応する区別表示フラッグを「ＯＮ」から「ＯＦＦ」に切り替え、図１８に示すように掲示情報「○○は青色にする」の表示色を緑色から黒色に変更する（ステップＳ４０２）。
【００８１】
また、情報処理装置６は、図１６の出席者管理テーブル２１を参照して、３人の出席者の区別表示フラッグを「ＯＮ」から「ＯＦＦ」に変更し、図１８に示すように３人の出席者の氏名「タチ  ツテト」、「ナニ  ヌネノ」、「ハヒ  フヘホ」の表示色を青色から黒色に変更する（ステップＳ４０３）。
【００８２】
この結果、図１８の画面１ａを見ることにより、掲示情報「○○は青色にする」については、出席者全員が認識していることが分かる。
【００８３】
次に、図１０のフローチャートの処理の変形例を、図１９に示すフローチャートを参照しつつ説明する。尚、図１９において、図１０と同様のステップには同じ符号を付す。
【００８４】
この変形例の処理では、出席者全員により認識された掲示情報だけがあって、一部の出席者のみにより認識された掲示情報がなく、区別表示を必要としない場合を想定している。例えば、会議の開始当初から、出席者全員が出席していて、掲示情報の全てが出席者全員により認識されている場合が考えられる。
【００８５】
図９（ｄ）に示すような内容が表示装置１の画面１ａの状態で、情報処理装置６は、ペンの先により画面１ａ上の「区別して表示」のアイコン２４が指示されたか否かを判定しており（ステップＳ１０１）、「区別して表示」のアイコン２４が指示されなければ（ステップＳ１０１で「Ｎｏ」）、図９（ｄ）に示すような内容の表示を維持し続ける（ステップＳ１０２）。
【００８６】
また、ペンの先により画面１ａ上の「区別して表示」のアイコン２４が指示されると、指示された点のｘｙ座標が情報処理装置６に入力される。情報処理装置６は、このｘｙ座標がアイコン２４の表示エリアに入ることを確認して、「区別して表示」のアイコン２４が指示されたと判定する（ステップＳ１０１で「Ｙｅｓ」）。そして、情報処理装置６は、メモリ４の関連付け管理テーブル２３を参照して、一部の出席者のみにより認識された掲示情報の識別番号を検索し（ステップＳ１０３）、該当する掲示情報の識別番号があったならば（ステップＳ１０３で「Ｙｅｓ」）、図１１に示すように表示装置１の画面１ａ上で該当する掲示情報を出席者全員により認識された掲示情報と区別表示する（ステップＳ１０４）。
【００８７】
また、情報処理装置６は、一部の出席者のみにより認識された掲示情報の識別番号がなかったならば（ステップＳ１０３で「Ｎｏ」）、掲示情報の全てが出席者全員により認識されていることになるので、図２０に示すように表示装置１の画面１ａに「出席者が出席していなかった時に入力された情報はありません。」というメッセージ２７を表示する（ステップＳ１１１）。
【００８８】
これにより、掲示情報の全てが出席者全員により認識されていることが容易分かる。
【００８９】
尚、本発明は、上記実施形態に限定されるものではなく、多様に変形することができる。例えば、ＩＣカードリーダ３の代わりに、種々の認識装置を用いることができる。あるいは、出席者全員の識別コードをメモリ４に予め登録しておき、出席者が自己の識別コードを操作部５の操作で入力し、この入力された識別コードをメモリ４の識別コードと照合するようにしても構わない。また、区別表示として、色分け表示を例示しているが、反転表示や点滅表示を適用したり、掲示情報や出席者の氏名を複数の表示エリアに振り分けて表示しても構わない。
【図面の簡単な説明】
【００９０】
【図１】本発明の表示システムの一実施形態を概略的に示すブロック図である。
【図２】図１の表示システムを示す斜視図である。
【図３】図１の表示システムにおけるタッチパネルを示す平面図である。
【図４】図１の表示システムにおける出席者管理テーブルを概念的に示す図である。
【図５】図１の表示システムにおける掲示情報管理テーブルを概念的に示す図である。
【図６】図１の表示システムにおける関連付け管理テーブルを概念的に示す図である。
【図７】（ａ）、（ｂ）、（ｃ）、及び（ｄ）は、出席者管理テーブル、掲示情報管理テーブル、関連付け管理テーブル、及び表示画面１ａの更新例を示す図である。
【図８】（ａ）、（ｂ）、（ｃ）、及び（ｄ）は、出席者管理テーブル、掲示情報管理テーブル、関連付け管理テーブル、及び表示画面１ａの次の更新例を示す図である。
【図９】（ａ）、（ｂ）、（ｃ）、及び（ｄ）は、出席者管理テーブル、掲示情報管理テーブル、関連付け管理テーブル、及び表示画面１ａの更なる更新例を示す図である。
【図１０】図１の表示システムにおいて、出席者全員により認識された掲示情報と一部の出席者のみにより認識された掲示情報とを区別表示するための処理手順を示すフローチャートである。
【図１１】図１０のフローチャートの処理結果である画面の表示例を示す図である。
【図１２】図１０のステップＳ１０３の詳細を示すフローチャートである。
【図１３】（ａ）、（ｂ）、（ｃ）、及び（ｄ）は、図１２のフローチャートの処理により関連付け管理テーブル及び掲示情報管理テーブルが順次更新されて行く様子を示す図である。
【図１４】掲示情報を認識していない出席者の氏名を求めて区別表示するための処理手順を示すフローチャートである。
【図１５】図１４のフローチャートの処理結果である画面の表示例を示す図である。
【図１６】図１４のフローチャートの処理により更新された関連付け管理テーブル及び出席者管理テーブルを示す図である。
【図１７】出席者の氏名の区別表示を取り消すための処理手順を示すフローチャートである。
【図１８】図１７のフローチャートの処理結果である画面の表示例を示す図である。
【図１９】図１０の処理手順の変形例を示すフローチャートである。
【図２０】図１９のフローチャートの処理結果である画面の表示例を示す図である。
【符号の説明】
【００９１】
１  表示装置
２  タッチパネル
３  ＩＣカードリーダ
４  メモリ
５  操作部
６  情報処理装置
２１  出席者管理テーブル
２２  掲示情報管理テーブル
２３  関連付け管理テーブル
【図１】
2009093207.tif 000003
【図２】
2009093207.tif 000004
【図３】
2009093207.tif 000005
【図４】
2009093207.tif 000006
【図５】
2009093207.tif 000007
【図６】
2009093207.tif 000008
【図７】
2009093207.tif 000009
【図８】
2009093207.tif 000010
【図９】
2009093207.tif 000011
【図１０】
2009093207.tif 000012
【図１１】
2009093207.tif 000013
【図１２】
2009093207.tif 000014
【図１３】
2009093207.tif 000015
【図１４】
2009093207.tif 000016
【図１５】
2009093207.tif 000017
【図１６】
2009093207.tif 000018
【図１７】
2009093207.tif 000019
【図１８】
2009093207.tif 000020
【図１９】
2009093207.tif 000021
【図２０】
2009093207.tif 000022